(57)【要約】      （修正有）【課題】使用時に相手材から脱離し難く、相手材を選ばない子供靴保持具を提供する。【解決手段】子供靴保持具のストラップを、帯状をなす帯状体３０と、帯状体３０の一端部３０ａに固着されている第１係合部３１と、帯状体３０の他端部３０ｂに固着されている第２係合部３２と、で構成し、第１係合部３１および第２係合部３２を、それぞれ、面ファスナーの一方とスナップボタンの一方とで構成する。そして、面ファスナーが脱着可能に係合するとともにスナップボタンが脱着可能に係合することで、ストラップが開閉可能なループ状をなすようにする。【選択図】図２
0003163838.tif 000002
【実用新案登録請求の範囲】
【請求項１】
一足の子供用靴を挟持可能なクリップと、相手材に吊下げ可能なストラップと、該クリップと該ストラップとを連結する連結部と、を持つ子供靴保持具であって、
該ストラップは、可撓性を持つ帯状体と、該帯状体の一端部に固着されている第１係合部と、該帯状体の他端部に固着されている第２係合部と、を持ち、
該第１係合部は、一対の面ファスナーの一方からなる第１ファスナー部と一対のスナップボタンの一方からなる第１スナップ部と、を持ち、
該第２係合部は、一対の面ファスナーの他方からなる第２ファスナー部と一対のスナップボタンの他方からなる第２スナップ部と、を持ち、
該ストラップは、該第１ファスナー部と該第２ファスナー部とが脱着可能に係合し、該第１スナップ部と該第２スナップ部とが脱着可能に係合することで、開閉可能なループ状をなすことを特徴とする子供靴保持具。
【請求項２】
前記第１係合部と前記第２係合部とは、前記帯状体の同一面に固着され、
前記第１スナップ部は前記第１ファスナー部よりも前記帯状体の端部側に配置され、
前記第２スナップ部は前記第２ファスナー部よりも前記帯状体の端部側に配置されている請求項１に記載の子供靴保持具。
【請求項３】
前記クリップは、巻きバネにより閉方向に付勢されている目玉クリップからなり、
前記連結部は、ワイヤと、該ワイヤをループ状に固定するかしめ材と、を持つワイヤ連結具を含み、
該ワイヤ連結具は該巻きバネの外周側に掛け回され、
該ワイヤの端部および該かしめ材は樹脂製の被覆材で覆われ、
該被覆材は、前記ストラップを前記相手材に吊下げた使用状態において、該巻きバネの下側に配置される請求項１又は請求項２に記載の子供靴保持具。
【考案の詳細な説明】
【技術分野】
【０００１】
本考案は、子供用靴を挟持しかつ相手材に吊下げることのできる靴保持具に関する。
【背景技術】
【０００２】
子連れで外出する際に、子供靴の扱いに困る場合がある。すなわち、子供（特に乳幼児）を電車の座席に座らせる時など、子供の靴を脱がせる必要がある場合、手荷物が多ければ、脱がせた靴を手に持てない。例えば、バッグやベビーカーの取っ手などの相手材に子供用靴を吊下げるための子供靴保持具は、このような子連れの人の負担を軽減できると考えられる。
【０００３】
ところで、相手材からの子供靴保持具の脱離防止を考慮すると、子供靴保持具のなかで相手材に吊下げる部分（以下、ストラップと呼ぶ）は、無端のループ状をなすのが好ましいと考えられる。しかし無端のループ状をなすストラップは、相手材が無端形状である場合などには、相手材に吊下げることができない。このため、使用時に相手材から脱離し難く、かつ、相手材を選ばない子供靴保持具が求められている。
【考案の概要】
【考案が解決しようとする課題】
【０００４】
本考案は上記事情に鑑みてなされたものであり、使用時に相手材から脱離し難く、相手材を選ばない子供靴保持具を提供することを目的とする。
【課題を解決するための手段】
【０００５】
上記課題を解決する本考案の子供靴保持具は、一足の子供用靴を挟持可能なクリップと、相手材に吊下げ可能なストラップと、該クリップと該ストラップとを連結する連結部と、を持つ子供靴保持具であって、該ストラップは、帯状をなす帯状体と、該帯状体の一端部に固着されている第１係合部と、該帯状体の他端部に固着されている第２係合部と、を持ち、該第１係合部は、一対の面ファスナーの一方からなる第１ファスナー部と一対のスナップボタンの一方からなる第１スナップ部と、を持ち、該第２係合部は、一対の面ファスナーの他方からなる第２ファスナー部と一対のスナップボタンの他方からなる第２スナップ部と、を持ち、該ストラップは、該第１ファスナー部と該第２ファスナー部とが脱着可能に係合し、該第１スナップ部と該第２スナップ部とが脱着可能に係合することで、開閉可能なループ状をなすことを特徴とする。
【０００６】
本考案の子供靴保持具は、下記の（１）、（２）の少なくとも一方を備えるのが好ましい。
（１）前記第１係合部と前記第２係合部とは、前記帯状体の同一面に固着され、前記第１スナップ部は前記第１ファスナー部よりも前記帯状体の端部側に配置され、前記第２スナップ部は前記第２ファスナー部よりも前記帯状体の端部側に配置されている。
（２）前記クリップは、巻きバネにより閉方向に付勢されている目玉クリップからなり、前記連結部は、ワイヤと、該ワイヤをループ状に固定するかしめ材と、を持つワイヤ連結具を含み、該ワイヤ連結具は該巻きバネの外周側に掛け回され、該ワイヤの端部および該かしめ材は樹脂製の被覆材で覆われ、該被覆材は、前記ストラップを前記相手材に吊下げた使用状態において、該巻きバネの下側に配置される。
【考案の効果】
【０００７】
本考案の子供靴保持具におけるストラップは、第１の係合部と第２の係合部とが係合するとループ状をなし、第１の係合部と第２の係合部との係合が解除されると単なる帯状（非ループ状）をなす。このため、先ず、ストラップを非ループ状にして相手材に掛け回し、次いで、第１の係合部と第２の係合部とを係合させストラップをループ状にすることで、無端の相手材（例えばバッグのハンドルなど）にも吊下げ可能である。すなわち、本考案の子供靴保持具は、相手材を選ばない。
【０００８】
さらに、本考案の子供靴保持具においては、第１の係合部と第２の係合部とがそれぞれ２以上の係合手段（すなわち、面ファスナーおよびスナップボタン）を含む。このため、例えば一方の係合が解除されても他方の係合が維持されていれば、ストラップのループ形状が維持され、ストラップが相手材に安定して吊下げられる。また、面ファスナーの係合機構と、スナップボタンの係合機構とは異なっている。このことによっても、一方の係合が解除されても他方の係合が維持され易い。このため、本考案の子供靴保持具は、相手材から脱離し難い。なお、本考案において、子供とは、乳児、幼児、児童の何れかを指す。好ましくは、足のサイズ２０ｃｍ以下の子供を指す。より好ましくは、足のサイズ１５ｃｍ下の子供を指す。
【０００９】
上記（１）を備える本考案の子供靴保持具は、ストラップを容易にループ状にでき、相手材に容易に吊下げ得る利点がある。これは以下の理由による。
【００１０】
一般に、所定の固定強度を得るのに必要なスナップボタンの大きさは、面ファスナーの大きさに比べて小さい。このため、第１スナップ部および第２スナップ部は、第１ファスナー部および第２ファスナー部に比べて小さくできる。そして、第１スナップ部および第２スナップ部が第１ファスナー部および第２ファスナー部よりも小型であれば、第１スナップ部と第２スナップ部とを互いに位置決めし係合させる作業は、第１ファスナー部と第２ファスナー部とを互いに位置決めし係合させる作業に比べて遙かに容易である。
【００１１】
上記（１）を備える本考案の子供靴保持具において、第１係合部と第２係合部とは帯状体の同一面に固着されている。このため、ストラップがループ状をなすときには、帯状体の両端部は対面する。この対面する部分すなわち帯状体の端部側に第１スナップ部および第２スナップを配置することで、帯状体の両端部を揃えるだけで第１スナップ部と第２スナップ部とを互いに位置決めできる。第１スナップ部と第２スナップ部とが互いに位置決めされ、係合すれば、第１ファスナー部と第２ファスナー部ともまた容易に位置決めできる。このため、上記（１）を備える本考案の子供靴保持具は、ストラップを容易にループ状、すなわち、相手材に吊下げ得る形状にでき、子供靴を相手材に容易に吊下げることができる。
【００１２】
上記（２）を備える本考案の子供靴保持具においては、一足の子供靴を挟持するクリップとして目玉クリップ（所謂蛇腹クリップ）が用いられている。目玉クリップは、比較的付勢力の強い巻きバネによって閉方向に付勢される。このためクリップとして目玉クリップを選択することで、子供靴を安定して挟持できる利点がある。その一方で、目玉クリップを開閉操作（すなわち、目玉クリップによって子供靴を挟持する操作）をする際には、目玉クリップの力点に相当する部分（以下、入力部と呼ぶ）に比較的大きな力を加える必要がある。このため、目玉クリップの入力部付近には、目玉クリップの開閉操作に干渉する部材を配設しないのが好ましい。上記（２）を備える本考案の子供靴保持具においては、連結部のなかで目玉クリップに連結される部材（ワイヤ連結具）を目玉クリップの巻きバネの外周側に掛け回している。ワイヤ連結具はワイヤで構成されるため比較的変形し易い。また、ワイヤ連結具は巻きバネの外周側に掛け回され、目玉クリップの入力部付近から比較的離れた位置に配置される。このため連結具は目玉クリップの開閉操作に干渉し難く、ユーザーは目玉クリップによって子供靴を容易に挟持できる。さらに、ワイヤ連結具における結合部分（ワイヤの端部およびかしめ材）は、樹脂製の被覆材で覆われている。このため、結合部分がユーザーの手等を傷つけることはない。
【００１３】
ところで、ワイヤ連結具は巻きバネの外周側に掛け回されているため、目玉クリップの開閉操作時に巻きバネに挟まれる可能性がある。ワイヤ連結具が巻きバネに挟まれると、ワイヤ連結具が目玉クリップの開閉操作に干渉し、ユーザーが目玉クリップを容易に開閉操作できなくなる場合がある。また、巻きバネに挟まれたワイヤ連結具が破損する可能性もある。
【００１４】
ワイヤ連結具のなかで使用状態（すなわち、ストラップを相手材に吊下げた状態）において巻きバネの下側に配置される部分は、特に、巻きバネに圧接する可能性が高く、他の部分に比べて開閉操作時に巻きバネに挟まれる可能性が高い。しかし上記（２）を備える本考案の子供靴保持具における結合部分は、使用状態において巻きバネの下側に配置されても、開閉操作時に巻きバネに挟まれ難い。結合部分は、被覆材で覆われ、大型化しているためである。このため、（２）を備える本考案の子供靴保持具は、破損し難く、かつ、ユーザーが子供靴を容易に挟持できる。
【考案を実施するための最良の形態】
【００１５】
子供が靴を脱着する頻度は大人に比べて高い。このため子供靴保持具は、比較的高頻度で子供靴の挟持・解放を繰り返す。したがって、子供靴保持具における子供靴を挟持する部分には、容易に子供靴を挟持でき、かつ安定して子供靴を挟持できる機能が求められている。クリップは、比較的軽量な対象物を容易かつ安定に挟持できる。このため本考案の子供靴保持具は、子供靴を挟持する手段としてクリップを選択したことで、子供靴保持具としての性能に優れる。
【００１６】
クリップは、一足の子供靴を安定して挟持できるものであれば良く、上述した目玉クリップの他、山形クリップやダブルクリップ等の既知のクリップを使用できる。これらのクリップは、子供靴を容易かつ信頼性高く挟持できる。
【００１７】
ストラップは、帯状体と、第１係合部と、第２係合部と、を持つ。帯状体は、可撓性を持つ材料および形状であれば良く、例えば、平織テープ、綾織テープ、グログランテープ等の織物であっても良いし、ＰＰバンドや皮革等、織物以外であっても良い。第１係合部は帯状体の一端部に固着され、第１ファスナー部と第１スナップ部とを持つ。また、第２係合部は帯状体の他端部に固着され、第２ファスナー部と第２スナップ部とを持つ。第１ファスナー部および第２ファスナー部は、互いに係合可能であれば、どちらが雄側であっても良いし、どちらが雌側であっても良い。第１スナップ部および第２スナップ部もまた、互いに係合可能であれば、どちらが雄側であっても良いし、どちらが雌側であっても良い。
【００１８】
なお、第１係合部と第２係合部とが帯状体の同一面に固着されている場合、すなわち、帯状体がループ状をなす時に二端部を同方向に対面させる場合には、第１スナップ部を第１ファスナー部よりも端部側に配置し、第２スナップ部を第２ファスナー部よりも端部側に配置するのが好ましい。第１スナップ部と第２スナップ部とを容易に位置決め・係合するためである。なお、第１係合部と第２係合部とが帯状体の背向する二面に別々に固着されている場合、すなわち、帯状体がループ状をなす時に二端部を逆方向に対面させる場合には、第１スナップ部、第１ファスナー部、第２スナップ部、第２ファスナー部の並び順は特に問わない。
【００１９】
第１の係合部は、第１スナップ部および第１ファスナー部のみで構成しても良いし、例えば第３スナップ部や第３ファスナー部等、第１スナップ部および第１ファスナー部以外の係合構造を持っても良い。第２の係合部もまた同様である。
【００２０】
連結部は、Ｄ環、ナス環、キーリング（所謂二重リング）等、環状をなす部分を持つ部材で構成するのが良い。これらの部材は１個のみで連結部を構成しても良いし、複数個が連結されて連結部を構成しても良い。クリップの入力部を帯状体の端部から遠ざけ、クリップの開閉操作を容易にするためには、環状をなす部材複数個を連結して連結部を構成するのが好ましい。
【図面の簡単な説明】
【００２１】
【図１】実施例の子供靴保持具を使用している様子を模式的に表す斜視図である。
【図２】実施例の子供靴保持具の要部拡大図である。
【実施例】
【００２２】
以下、具体例を挙げて、本考案の子供靴保持具を説明する。
【００２３】
（実施例）
実施例の子供靴保持具を使用している様子を模式的に表す斜視図を図１に示し、実施例の子供靴保持具の要部拡大図を図２に示す。なお、図１に示す子供靴保持具においては第１係合部と第２係合部とが係合し、図２に示す子供靴保持具においては第１係合部と第２係合部との係合は解除されている。
【００２４】
図１に示すように、実施例の子供靴保持具１は、クリップ２と、ストラップ３と、連結部４と、を持つ。
【００２５】
クリップ２は、目玉クリップからなる。クリップ２は、支点に相当する部分（軸部２０と呼ぶ）と、力点に相当する部分（入力部２１と呼ぶ）と、作用点に相当する部分（挟持部２２と呼ぶ）と、巻きバネ２３と、を持つ。入力部２１は略リング状をなす。挟持部２２は略短冊状をなす。巻きバネ２３は、軸部２０と略同軸的に配置され、軸部２０に外装されている。巻きバネ２３はクリップ２を閉方向（すなわち、入力部２１が開き、挟持部２２が閉じる方向）に付勢している。
【００２６】
ストラップ３は、図２に示すように、帯状体３０と第１係合部３１と第２係合部３２とからなる。帯状体３０は、綿製の平織テープ製である。帯状体３０の一端部３０ａおよび他端部３０ｂは、それぞれ裏側（図２中紙面手前側）に折り返されている。一端部３０ａの裏側には第１係合部３１が固着され、他端部３０ｂの裏側には第２係合部３２が固着されている。
【００２７】
詳しくは、第１係合部３１は、一対の面ファスナーの一方からなる第１ファスナー部３５と、一対のスナップボタンの一方からなる第１スナップ部３６と、で構成されている。第１スナップ部３６は、第１ファスナー部３５よりも端部側に配置されている。第１ファスナー部３５および第１スナップ部３６は、各々一端部３０ａの裏側に縫付けられている。一端部３０ａの表側には、図略のワッペンが縫付けられている。
【００２８】
第２係合部３２は、一対の面ファスナーの他方からなる第２ファスナー部３７と、一対のスナップボタンの他方からなる第２スナップ部３８と、で構成されている。第２スナップ部３８は、第２ファスナー部３７よりも端部側に配置されている。第２ファスナー部３７および第２スナップ部３８は、各々他端部３０ｂの裏側に縫付けられている。
【００２９】
連結部４は、樹脂製のＤ環４０と、二重リング４１と、ワイヤ連結具４２と、で構成されている。Ｄ環４０は、帯状体３０の一端部３０ａにおける折り返された部分に挟み込まれている。二重リング４１は、Ｄ環４０に連結されている。ワイヤ連結具４２は、ワイヤ４５と、３つのかしめ材４６〜４８と、被覆材４９とで構成されている。ワイヤ４５は、両端部を図２中下方に向けつつ、巻きバネ２３の外周側に掛け回されている。かしめ材４６は、金属製の穴あき玉状をなす。ワイヤ４５の両端部はかしめ材４６の一つに挿入されている。かしめ材４６は、ワイヤ４５の両端部をかしめることで、ワイヤ４５をループ状に固定している。ワイヤ４５の両端部およびかしめ材４６は、樹脂製の被覆材４９で覆われている。なお、ワイヤ４５のなかで巻きバネ２３よりも図２中上方に位置する部分は、２つのかしめ材４７、４８によりかしめられている。このため、ワイヤ４５は略８の字のループ状に固定されている。
【００３０】
実施例の子供靴保持具１の使用方法を以下に説明する。
【００３１】
図１に示すように子供靴８を相手材９に吊下げる際には、下記の（１）、（２）の操作をおこなう。なお、（１）、（２）の操作は何れを先におこなっても良い。
【００３２】
（１）子供靴８をクリップ２で挟む
一足の子供靴８を揃え、クリップ２の入力部２１を手で持ち、巻きバネ２３の付勢力に抗して挟持部２２を開きつつ、挟持部２２を一足の子供靴８に差し込む。このとき、短冊状をなす挟持部２２の長手方向と、子供靴８の前後方向（踵−爪先方向）とを略一致させると、子供靴８がクリップ２に安定して挟持される。挟持部２２を子供靴８に差し込んだ後に、入力部２１から手を離せば、巻きバネ２３の付勢力により挟持部２２が閉じる。すると、クリップ２によって子供靴８が挟持される。
【００３３】
（２）ストラップ３を相手材９に吊下げる
ストラップ３の第１係合部３１と第２係合部３２との係合を解除し、ストラップ３を単なる非ループ状にする。詳しくは、第１ファスナー部３５と第２ファスナー部３７とを離間させ、両者の係合を解除する。また、第１スナップ部３６と第２スナップ部３８とを離間させ、両者の係合を解除する。
【００３４】
次いで、帯状体３０を相手材９に掛け回し、第１スナップ部３６と第２スナップ部３８とを係合させる。このとき、帯状体３０の一端部３０ａと他端部３０ｂとが同じ方向を向いているため、この一端部３０ａと他端部３０ｂとを揃えるだけで、第１スナップ部３６と第２スナップ部３８とを互いに位置決めできる。
【００３５】
第１スナップ部３６と第２スナップ部３８とは、一対のスナップボタンを構成している。このため、第１スナップ部３６と第２スナップ部３８とが係合する際には、音および振動が発生する。ユーザーは、この音および振動（所謂クリック感、節度感）を感知することで、第１スナップ部３６と第２スナップ部３８とが係合したことを知ることができる。したがって、例えばユーザーが相手材９を目視し難い場合にも、第１スナップ部３６と第２スナップ部３８とを信頼性高く係合させることができる。
【００３６】
第１スナップ部３６と第２スナップ部３８とが係合することで、第１ファスナー部３５および第２ファスナー部３７が互いに位置決めされる。このため、第１スナップ部３６と第２スナップ部３８とが係合した後に、ストラップ３を端部から中央部に向けて扱くことで、第１ファスナー部３５と第２ファスナー部３７とが係合する。以上の操作により、第１係合部３１と第２係合部３２とが係合する。第１係合部３１と第２係合部３２とが係合すると、ストラップ３（詳しくは帯状体３０）がループ状に固定され、相手材９に吊下げられる。
【００３７】
ストラップ３は、面ファスナー（３５、３７）の係合と、スナップボタン（３６、３８）の係合とによってループ状に固定される。このため、何らかの外力が作用して面ファスナー（３５、３７）とスナップボタン（３６、３８）との一方の係合が解除されても、ストラップ３の形状（ループ状）は維持され、ストラップ３は相手材９から脱離し難い。
【００３８】
ストラップ３が相手材９に吊下げられると、子供靴保持具１の各部分は、子供靴保持具１および子供靴８の質量によって図１に示すように上下に配列する。このときワイヤ連結具４２における結合部分（ワイヤ４５の端部およびかしめ材４６）は、被覆材４９で覆われ、結合部分および被覆材４９は、巻きバネ２３の下側に配置される。図１に示す使用状態においては、子供靴８の質量によりクリップ２が下方に引っ張られ、ワイヤ連結具４２の結合部分および被覆材４９は、巻きバネ２３の下側部分に圧接する。しかし、ワイヤ連結具４２の結合部分および被覆材４９は比較的大型であるため巻きバネ２３に挟み込まれ難い。このため、実施例の子供靴保持具１は、破損し難く、かつ、子供靴８を容易に挟持できる。
【符号の説明】
【００３９】
１：子供靴保持具              ２：クリップ                ３：ストラップ
４：連結部                    ２３：巻きバネ              ３０：帯状体
３１：第１係合部              ３２：第２係合部            ３５：第１ファスナー部
３６：第１スナップ部          ３７：第２ファスナー部      ３８：第２スナップ部
４２：ワイヤ連結具            ４６：かしめ材              ４９：被覆材
【図１】
0003163838.tif 000003
【図２】
0003163838.tif 000004